(57)【特許請求の範囲】
【請求項１】
携帯型電子機器用クレードルであって、前記クレードル使用時の該携帯型電子機器内蔵フロントカメラレンズ部前方延長線上を、前記クレードルの前面側に設けられた不透明もしくは半透明のレンズ遮蔽部材で遮蔽することを特徴とする携帯型電子機器用プライバシー保護機能付きクレードル。
【請求項２】
請求項１に記載の携帯型電子機器用クレードルにおいて、前記クレードルの台座部と符合することにより、該携帯型電子機器筐体全部を収納可能にするクリア色蓋部材と、前記クレードル使用時に前記電子機器内蔵マイク用穴を塞ぐ部材を有することを特徴とする携帯型電子機器用プライバシー保護機能付きクレードル。
【発明の詳細な説明】
【技術分野】
【０００１】
本発明は、プライバシーを保護しながら使用可能な携帯型電子機器用クレードルに関する。
【背景技術】
【０００２】
スマートフォンやタブレットをはじめとする携帯型電子機器と周辺機器間とのデータ転送や、前記電子機器に内蔵されたバッテリーへの給電を、載置するだけで可能とするクレードルは広く普及しており、下記特許文献１及び２が提案されている。
【０００３】
特許文献１に記載されたクレードル装置は、コネクタを一つのみとしてクレードル装置全体の小型化を図るとともに、支持部材によって携帯型電子機器を安定して載置可能とするものである。
【０００４】
特許文献２に記載されたクレードル装置は、充電及び通信機能を容易に構築できるクレードルの提供を実現するものである。
【先行技術文献】
【特許文献】
【０００５】
【特許文献１】特開２００８−２５３１１２号公報
【特許文献２】特開２０１４−２７７３１号公報
【発明の概要】
【発明が解決しようとする課題】
【０００６】
近時、コンピューターウイルスによる企業や個人が所有保持する情報データの漏洩は、インターネットが主要な社会的インフラとなっている現代社会において、とりわけ深刻な問題となっている。
【０００７】
企業や個人のパーソナルコンピューターを、情報を窃取する攻撃対象としてきたコンピューターウイルスは、その矛先をパーソナルコンピューターに匹敵する性能を備えた個人や企業の所有するスマートフォンをはじめとする携帯型電子機器に向けている現状がある。
【０００８】
スマートフォンをはじめとする身近な携帯型電子機器は、企業や個人の生活環境に密着しており、それらの電子機器からの情報漏洩防止は喫緊の課題となっている。
【０００９】
本発明は、クレードル使用時の前記電子機器内蔵カメラ及びマイクからのプライバシー情報の流出を防止するプライバシー保護機能付きクレードルを提供することを目的とする。
【課題を解決するための手段】
【００１０】
上記課題を解決するため、本発明のプライバシー保護機能付きクレードルは、前記クレードル使用時の該携帯型電子機器内蔵フロントカメラレンズ部前方延長線上を、前記クレードルの前面側に設けられた不透明もしくは半透明のレンズ遮蔽部材で遮蔽することとする。
【００１１】
また、前記クレードルの台座部と符合することにより該携帯型電子機器筐体全部を収納可能にするクリア色の蓋部材と、前記クレードル使用時に該携帯型電子機器内蔵マイク用穴を塞ぐ部材を設けることとする。
【発明の効果】
【００１２】
前記クレードル使用時の該携帯型電子機器内蔵フロントカメラレンズ部前方延長線上に、不透明もしくは半透明のレンズ遮蔽部材を備えることから、万一コンピューターウイルスなどによる意図しない前記電子機器内蔵フロントカメラの操作がなされたとしても、前記クレードルの前方周囲状況が撮影できなくなることにより、プライバシー情報の流出を防止することが可能となる。
【００１３】
また、前記クレードルの台座部と符合するクリア色の蓋部材を設けることにより、ボックス形状を形成し、その内部に該携帯型電子機器を収納することで、万一コンピューターウイルスなどによる意図しない前記電子機器内蔵マイクの操作がなされたとしても、前記クレードルの周囲音声情報流出の危険性を減少させることが可能となる。さらに前記クレードル使用時に該携帯型電子機器内蔵マイク用穴を塞ぐ部材を設けることから、周囲音声情報流出の危険性をより一層減少させることが可能となる。
【図面の簡単な説明】
【００１４】
【図１】本発明の実施形態に係る携帯型電子機器用プライバシー保護機能付きクレードルの、携帯型電子機器未収納時斜視図。
【図２】上記クレードルのクリア色蓋部材開放時斜視図。
【図３】上記クレードルのクリア色蓋部材開放時に、携帯型電子機器を載置した状態の正面図。
【図４】上記クレードルの、携帯型電子機器収納時斜視図。
【図５】上記クレードルの、携帯型電子機器を載置する台座面。
【図６】上記クレードルの、携帯型電子機器載置時断面図。
【発明を実施するための形態】
【００１５】
以下、本発明の一実施形態について図面を参照しながら説明する。図１から図４はいずれも本発明の携帯型電子機器用プライバシー保護機能付きクレードル３全体図であり、その筐体の主な構成は、前記クレードル３使用時に前記電子機器１１を載置するための台座部８を有する充電台４と、充電台４に符合して前記電子機器１１を収納可能なボックス形状を形成するための、クリア色の蓋部材５から成る。
【００１６】
クリア色の蓋部材５には、本発明における課題を解決するための手段として、前記電子機器用クレードル３使用時に、前記電子機器１１のフロントカメラレンズ１２前面部が不透明もしくは半透明のレンズ遮蔽部材７によって遮蔽されることで、意図しない前記電子機器内蔵前面カメラの操作がなされたとしても、前記クレードル３の前方周囲状況が撮影できなくなることにより、プライバシー情報の流出を防止することが可能となる構成とする。
【００１７】
充電台４の形状について、図1から図４に示したように載置時の前記電子機器１１の高さよりも高さのある充電台後部支持面１０を構成することや、台座部８のみとする案が考えられる。
【００１８】
クリア色の蓋部材５の形状について、図1から図４に示したように充電台４の充電台後部支持面１０にヒンジ部６を設けて接続する構成や、充電台４の形状が台座部８のみとする場合には、台座部８に前記電子機器１１の前面部及び後面部を覆う断面図がコの字型のクリア色の蓋部材５を載置するのみとする案が考えられる。
【００１９】
レンズ遮蔽部材７の設置場所について、図１から図４に示したように前記電子機器１１載置時の前記クレードル３前面側だけでなく、充電台４の形状が台座部８のみとする場合には、台座部８に載置するクリア色の蓋部材５の前面側及び後面側それぞれに不透明もしくは半透明のレンズ遮蔽部材７を設けることとする。
【００２０】
マイク穴遮蔽部材１３の設置場所について、図５及び６に示したように前記電子機器１１載置時の、充電台４と載置された前記電子機器１１筐体との空間に設けることで、前記電子機器１１の内蔵マイク穴が遮蔽され、意図しない前記電子機器内蔵マイクの操作がなされたとしても前記クレードル３の周囲音声情報流出の危険性を減少させることが可能となる構成とする。
【００２１】
マイク穴遮蔽部材１３の材質について、硬質な部材だけでなく前記電子機器１１の内蔵マイク穴の内部空間にまでマイク穴遮蔽部材１３が入り込むような軟質なものとする案が考えられる。
【符号の説明】
【００２２】
３    携帯型電子機器用プライバシー保護機能付きクレードル
４    充電台
５    クリア色の蓋部材
６    ヒンジ部
７    カメラレンズ遮蔽部材
８    充電台台座部
９    給電端子
１０    充電台後部支持面
１１    携帯型電子機器
１２    携帯型電子機器内蔵フロントカメラレンズ
１３    マイク穴遮蔽部材
【要約】      （修正有）【課題】携帯型電子機器充電時に、コンピューターウイルス等による所有者の意図しない前記電子機器内蔵カメラ及びマイクの操作がなされても、プライバシー情報の流出を防止することが可能となる携帯型電子機器用プライバシー保護機能付きクレードルを提供する。【解決手段】携帯型電子機器用クレードルの前面側に設けた不透明もしくは半透明のレンズ遮蔽部材７で、前記クレードル使用時の該携帯型電子機器内蔵フロントカメラレンズ部前方延長線上を遮蔽することで、所有者の意図しないフロントカメラの操作がなされたとしても、前記クレードルの前方周囲状況が撮影できなくなり、また充電台４と載置された前記電子機器１１筐体との空間にはマイク穴遮蔽部材を設けることで、前記電子機器１１のマイク穴が遮蔽され、所有者の意図しないマイクの操作がなされたとしても、前記クレードルの周囲音声情報流出の危険性を減少させることが可能となる。【選択図】図４【図１】
0005671181.tif 000002
【図２】
0005671181.tif 000003
【図３】
0005671181.tif 000004
【図４】
0005671181.tif 000005
【図５】
0005671181.tif 000006
【図６】
0005671181.tif 000007